(57)【要約】【課題】苗植え付け性能を向上させる苗移植機を提供すること。【解決手段】実施形態の一態様に係る苗移植機１は、走行車体２の後方に取り付けられ、マット苗が載置される苗タンク７０と、苗タンク７０の下方に設けられ、苗タンク７０に載置されたマット苗の下端を支持するとともに、マット苗から苗が取り出される苗取出口７３が形成された支持部７２ｂと、苗タンク７０とともに、走行車体２の幅方向に往復動し、マット苗が後方へ落ちることを防止する苗押さえ部７１と、苗押さえ部７１よりも下方に設けられ、マット苗の後方への移動を規制する規制部７２ｃとを備える。【選択図】図３
2019115265.tif 000002
【特許請求の範囲】
【請求項１】
走行車体の後方に取り付けられ、マット苗が載置される苗タンクと、
前記苗タンクの下方に設けられ、前記苗タンクに載置された前記マット苗の下端を支持するとともに、前記マット苗から苗が取り出される苗取出口が形成された支持部と、
前記苗タンクとともに、前記走行車体の幅方向に往復動し、前記マット苗が後方へ落ちることを防止する苗押さえ部と、
前記苗押さえ部よりも下方に設けられ、前記マット苗の後方への移動を規制する規制部と
を備えることを特徴とする苗移植機。
【請求項２】
前記規制部は、
前記支持部に設けられる
ことを特徴とする請求項１に記載の苗移植機。
【請求項３】
前記規制部は、
前記走行車体の前後方向に位置を変更可能となるように、前記支持部に取り付けられる
ことを特徴とする請求項２に記載の苗移植機。
【請求項４】
前記規制部は、
前記苗押さえ部に回動可能に取り付けられ、前記苗を圃場に植え付ける植付具が接触した場合に回動する
ことを特徴とする請求項１に記載の苗移植機。
【請求項５】
前記支持部は、
前記苗取出口の周囲に前記苗押さえ部に向けて突出し、前記規制部が前記苗押さえ部とともに前記幅方向に往復動する際に、前記規制部に接触する突出部
を備えることを特徴とする請求項４に記載の苗移植機。
【請求項６】
前記規制部は、
前記苗押さえ部に摺動可能に取り付けられ、前記苗を圃場に植え付ける植付具が接触した場合に摺動する
ことを特徴とする請求項１に記載の苗移植機。
【発明の詳細な説明】
【技術分野】
【０００１】
本発明は、苗移植機に関する。
【背景技術】
【０００２】
従来、マット苗が後方に落ちないように苗押さえ部により苗マットを押さえる苗移植機が知られている（例えば、特許文献１参照）。
【先行技術文献】
【特許文献】
【０００３】
【特許文献１】特開２０１７−１７６０９４号公報
【発明の概要】
【発明が解決しようとする課題】
【０００４】
しかしながら、上記苗移植機では、苗を圃場に植え付ける苗植え付け部との接触を避けるため、苗マットの下端側は、苗押さえ部により押さえられていない。そのため、苗マットの下端側が反り上がり、苗植え付け性能が低下するおそれがある。
【０００５】
本発明は、上記に鑑みてなされたものであって、苗植え付け性能を向上させる苗移植機を提供することを目的とする。
【課題を解決するための手段】
【０００６】
上記した課題を解決し、目的を達成するために、実施形態の一態様に係る苗移植機（１）は、走行車体（２）の後方に取り付けられ、マット苗が載置される苗タンク（７０）と、前記苗タンク（７０）の下方に設けられ、前記苗タンク（７０）に載置された前記マット苗の下端を支持するとともに、前記マット苗から苗が取り出される苗取出口（７３）が形成された支持部（７２ｂ）と、前記苗タンク（７０）とともに、前記走行車体（２）の幅方向に往復動し、前記マット苗が後方へ落ちることを防止する苗押さえ部（７１）と、前記苗押さえ部（７１）よりも下方に設けられ、前記マット苗の後方への移動を規制する規制部（７２ｃ）とを備える。
【発明の効果】
【０００７】
実施形態の一態様によれば、苗植え付け性能を向上させることができる。
【図面の簡単な説明】
【０００８】
【図１】図１は、苗移植機の概略側面図である。
【図２】図２は、苗移植機の一部を省略した概略平面図である。
【図３】図３は、苗載置部の一部を左側方から見た概略図である。
【図４】図４は、第１実施形態に係る苗支持部の変形例を示す図である。
【図５】図５は、第２実施形態に係る苗載置部の一部を左側方から見た概略図である。
【図６】図６は、第２実施形態に係る苗支持部の変形例を示す図である。
【図７】図７は、第３実施形態に係る苗載置部の一部を斜め後方から見た概略構成図である。
【図８】図８は、第３実施形態に係る第３支持部の変形例を示す図である。
【図９Ａ】図９Ａは、第３実施形態に係る苗支持部の変形例を示す図である。
【図９Ｂ】図９Ｂは、第３支持部がピンに当接した状態を示す図である。
【図１０】図１０は、第４実施形態に係る苗載置部の一部を左側方から見た概略図である。
【図１１】図１１は、右方向における苗支持部の端部の脱着状態を示す概略図である。
【図１２】図１２は、エンジンカバー内におけるエアクリーナなどの配置を示す概略図である。
【図１３Ａ】図１３Ａは、バッテリの端子およびケーブルの端子を示す概略図である。
【図１３Ｂ】図１３Ｂは、バッテリの端子にケーブルの端子を接続した状態を示す図である。
【図１４】図１４は、施肥クラッチおよびアームの構成を示す断面図である。
【図１５】図１５は、回動プレートとケースの一部とを示す概略斜視図である。
【図１６】図１６は、施肥伝導機構の一部を示す図である。
【図１７】図１７は、施肥装置の一部を左側方から見た図である。
【図１８】図１８は、ステーなどを左側方から見た図である。
【図１９】図１９は、ステーなどを上方から見た図である。
【図２０】図２０は、変形例に係るカウンタの取り付け構造を説明する図である。
【発明を実施するための形態】
【０００９】
本発明に係る苗移植機の実施形態を図面に基づいて詳細に説明する。なお、この実施形態によりこの発明が限定されるものではなく、本発明の骨子を逸脱しない範囲で種々変形して実施することができる。さらに、下記実施形態における構成要素には、当業者が置換可能、かつ、容易なもの、或いは実質的に同一のものいわゆる均等の範囲のものが含まれる。
【００１０】
なお、以下では前後、左右の方向基準は、操縦席からみて、走行車体の走行方向を基準として、前後、左右の基準を定めている。すなわち、左右方向は、走行車体の幅方向に相当する。また、上下方向の基準は、重力が作用する方向を下方として定めている。
【００１１】
＜第１実施形態＞
第１実施形態に係る苗移植機１について図１および図２を参照し説明する。図１は、苗移植機１の概略側面図である。図２は、苗移植機１の一部を省略した概略平面図である。
【００１２】
苗移植機１は、走行車体２の後方に昇降リンク機構３を介して苗植付部４が昇降可能に装着される。走行車体２の後部上側には、施肥装置５の本体部分が設けられる。
【００１３】
走行車体２は、駆動輪である左右一対の前輪１０および左右一対の後輪１１を備える四輪駆動車両である。苗移植機１の機体の前部には、ミッションケース１２が配設され、ミッションケース１２の左右側方には前輪ファイナルケース１３が設けられる。前輪１０は、前輪ファイナルケース１３の操向方向を変更可能な前輪１０の支持部から機体の外向きへ突出する左右一対の前輪車軸にそれぞれ取り付けられる。ミッションケース１２の背面部には、メインフレーム１５の前端が固定される。
【００１４】
メインフレーム１５の後端左右中央部に前後水平に設けた後輪ローリング軸を支点にして後輪ギヤケース１８がローリング自在に支持される。後輪ギヤケース１８から機体の外向きへ突出する後輪車軸には、後輪１１が取り付けられる。
【００１５】
メインフレーム１５上には、エンジン２０が搭載される。エンジン２０の回転動力は、ベルト伝達装置２１およびＨＳＴ（Hydro  Static  Transmission）２３を介してミッションケース１２へ伝達される。なお、ＨＳＴ２３は、静油圧式の無段変速機である。ミッションケース１２へ伝達された回転動力は、ミッションケース１２内のトランスミッションによって変速された後、走行動力と外部取出動力とに分離して取り出される。走行動力は、一部が前輪ファイナルケース１３へ伝達されて前輪１０を駆動し、残りが後輪ギヤケース１８へ伝達されて後輪１１を駆動する。
【００１６】
また、上記の外部取出動力は、植付伝動軸２６によって苗植付部４へ伝動されるとともに、施肥伝動機構によって施肥装置５へ伝動される。
【００１７】
内燃機関であるエンジン２０は、エンジンカバー３０に収容される。エンジンカバー３０の上部には、操縦席３１が配設される。操縦席３１の前方には、各種操作機構を内蔵するフロントカバー３２が配設される。フロントカバー３２の左右には、補給用の苗を載せておく一対の予備苗枠３８が配設される。フロントカバー３２の上部には、前輪１０を操向操作するハンドル３４が配設される。
【００１８】
エンジンカバー３０、およびフロントカバー３２の下端左右両側は、水平上のフロアステップ３５が配設される。フロアステップ３５は、一部が格子状になっており、例えば、作業者の靴に付着した泥などを圃場へ落下させることができる。フロアステップ３５の左右両端には、フロアステップ３５の上面よりも低く設けられた補助ステップ３５ａが配設される。補助ステップ３５ａによれば、作業者による苗移植機１への乗降を容易にすることができる。
【００１９】
昇降リンク機構３は、平行リンク機構であり、上リンク４０と、下リンク４１とを有する。上リンク４０、および下リンク４１の先端側は、メインフレーム１５の後端部に立設した背面視において門型のリンクベースフレーム４２に上下方向へそれぞれ回動自在に支持される。また、上リンク４０および下リンク４１の後端側には、縦リンク４３が連結される。縦リンク４３の下端部には、苗植付部４に回転自在に支持されて走行車体２の前後方向へ延伸する連結軸４４が連結される。苗植付部４は、連結軸４４まわりにローリング自在に設けられる。
【００２０】
メインフレーム１５には、昇降油圧シリンダ４６が取り付けられる。昇降油圧シリンダ４６の先端は、上リンク４０の先端部に連結される。昇降油圧シリンダ４６の伸縮により、上リンク４０が上下方向へ回動することによって、苗植付部４が略一定の姿勢を保ちつつ昇降する。
【００２１】
本実施形態に係る苗移植機１が有する苗植付部４は、６条植の構成を例にとって示しており、苗載置部５１と、苗植付装置５２と、線引きマーカ１９とを備える。
【００２２】
苗載置部５１は、図３に示すように、苗タンク７０と、苗押さえ部７１と、苗支持部７２とを備える。図３は、苗載置部５１の一部を左側方から見た概略図である。なお、図３では、マット苗の概略を破線で示す。
【００２３】
苗タンク７０には、マット苗が載置される。苗タンク７０は、マット苗が載置された状態で、左右方向へ往復動し、苗支持部７２に形成された苗取出口７３（図２参照）へ一株分の苗を供給する。苗タンク７０は、苗支持部７２に対して左右方向へ往復動する。
【００２４】
苗押さえ部７１は、苗タンク７０に取り付けられ、苗タンク７０とともに左右方向に往復動する。苗押さえ部７１は、棒状の部材であり、苗タンク７０におけるマット苗の略摺動方向に沿って形成される苗押さえ棒７１ａと、苗押さえ棒７１ａの下端から斜め後方に向けて延設される連結棒７１ｂとを備える。苗押さえ部７１は、左右方向に所定間隔を空けて複数設けられる。連結棒７１ｂは、苗タンク７０に取り付けられた取り付け部（不図示）に連結される。
【００２５】
苗押さえ部７１は、マット苗が苗タンク７０の載置面に沿って下方側へ移動可能となるように、苗タンク７０と苗押さえ棒７１ａとの間に所定の隙間を形成した状態で苗タンク７０に取り付けられる。苗押さえ部７１は、苗押さえ棒７１ａによってマット苗の表面側を押さえ、マット苗が後方に移動することを規制し、マット苗が後方に落ちることを防止する。
【００２６】
苗押さえ部７１は、苗植付装置５２によって苗を圃場に植え付ける際に、苗植付装置５２（図１参照）が接触しないように設けられる。そのため、苗押さえ部７１は、マット苗の下端側を押さえていない。
【００２７】
苗支持部７２は、苗タンク７０よりも下方に設けられ、左右方向に沿って延設される。苗支持部７２は、マット苗の裏面に当接する第１支持部７２ａと、第１支持部７２ａの下端から、マット苗の下端を支持するように延設された第２支持部７２ｂと、第２支持部７２ｂの後端から苗押さえ部７１側に向けて延設された第３支持部７２ｃとを備える。第２支持部７２ｂは、支持部を構成する。
【００２８】
苗支持部７２は、マット苗の下方側を、第１支持部７２ａ、第２支持部７２ｂおよび第３支持部７２ｃによって保持するように、側面視において凹状に形成される。苗支持部７２は、例えば、板状部材をプレス加工することで形成される。
【００２９】
第３支持部７２ｃは、苗押さえ部７１よりも下方に設けられ、上方、または斜め上方に向けて延設される。第３支持部７２ｃは、苗押さえ部７１によって押さえられていない下方側のマット苗の表面側を押さえ、下方側のマット苗が後方に反り上がることを抑制する。すなわち、第３支持部７２ｃは、マット苗が後方に移動することを規制する。第３支持部７２ｃは、規制部を構成する。
【００３０】
第１支持部７２ａ、第２支持部７２ｂおよび第３支持部７２ｃには、一株分の苗をマット苗から苗植付装置５２によって取り出せるように苗取出口７３（図２参照）が形成される。
【００３１】
図１および図２に戻り、線引きマーカ１９は、苗移植機１の左右一対に設けられ、次工程における苗移植機１の進路を圃場面に線引きする。
【００３２】
苗植付装置５２では、ロータリーケース１６の両端部に、植付回転軸が回動自在に設けられる。植付回転軸には苗植付具５４が取り付けられる。
【００３３】
苗植付部４の下部には、中央にセンターフロート５５、左右両端にサイドフロート５６が設けられる。センターフロート５５やサイドフロート５６を圃場の泥面に配置した状態で機体を進行させると、センターフロート５５やサイドフロート５６は、泥面上を滑走しつつ整地する。苗は、かかる整地された圃場面に苗植付装置５２によって植え付けられる。なお、センターフロート５５、サイドフロート５６は、圃場の表土面の凹凸に対応して上下動するように、例えば、左右方向の支軸まわりに回動自在に設けられている。
【００３４】
施肥装置５は、走行車体２の左右に一対配設された肥料タンク６０に貯留されている、例えば、粒状の肥料を繰出部６１によって一定量ずつ繰り出す。繰出部６１によって繰り出された肥料は、施肥ホース６２によってセンターフロート５５やサイドフロート５６の左右両端にそれぞれ取り付けられた施肥ガイド（不図示）まで導かれる。施肥ガイドまで導かれた肥料は、施肥ガイドの前側に設けた作溝体（不図示）によって苗植付条の側部近傍に形成される施肥溝内に落とし込まれる。
【００３５】
また、施肥装置５は、モータ５３によって駆動されるブロア５８を有する。ブロア５８で発生したエアは、チャンバ５９から施肥ホース６２へ吹き込まれ、施肥ホース６２内の肥料は、風圧によって搬送される。
【００３６】
苗移植機１は、マット苗の後方への移動を規制する第３支持部７２ｃを苗押さえ部７１よりも下方に備える。これにより、苗押さえ部７１によって押さえられていないマット苗の下方側が反り上がることを抑制することができる。そのため、苗植付装置５２によって苗を圃場に植え付ける際に、例えば、欠株や、切れ苗の発生を抑制し、植え付け性能を向上させることができる。
【００３７】
苗移植機１は、第３支持部７２ｃを苗支持部７２に設けることで、マット苗の下端側が反り上がることを抑制し、苗植付装置５２と第３支持部７２ｃとの接触を防止することができる。
【００３８】
なお、苗支持部７２は、図４に示すように、第３支持部７２ｃの一部に切欠部７２ｄを設けてもよい。図４は、第１実施形態に係る苗支持部７２の変形例を示す図である。
【００３９】
＜第２実施形態＞
次に、第２実施形態に係る苗移植機１について説明する。ここでは、第１実施形態に係る苗移植機１と異なる箇所について説明し、第１実施形態に係る苗移植機１と同じ構成の説明は省略する。
【００４０】
第２実施形態に係る苗移植機１の苗支持部７２は、図５に示すように、第３支持部７２ｃを第１支持部７２ａおよび第２支持部７２ｂとは別部材として備える。図５は、第２実施形態に係る苗載置部５１の一部を左側方から見た概略図である。
【００４１】
第３支持部７２ｃは、調整部７２ｅを介して第１支持部７２ａに取り付けられる。調整部７２ｅは、第３支持部７２ｃと一体的に形成される。第３支持部７２ｃおよび調整部７２ｅは、例えば、板状部材をプレス加工にすることで形成される。
【００４２】
調整部７２ｅは、第３支持部７２ｃの下端から後方側に向けて延設される第１平面部７２ｆと、第２支持部７２ｂの下面に沿って形成される第２平面部７２ｇと、第１平面部７２ｆと第２平面部７２ｇとの間に形成される湾曲部７２ｈとを備える。また、調整部７２ｅは、第２平面部７２ｇの前端から上方側に向けて延設される第３平面部７２ｉと、第３平面部７２ｉの上端から前方側に向けて延設される取付部７２ｊとを備える。
【００４３】
取付部７２ｊには、調整部７２ｅおよび第３支持部７２ｃを、ネジ７４によって第１支持部７２ａに取り付けるための取付孔（不図示）が形成される。取付孔は、前後方向に長い長孔である。
【００４４】
また、調整部７２ｅは、湾曲部７２ｈと、第２支持部７２ｂの先端との間には隙間が生じるように形成される。
【００４５】
第３支持部７２ｃは、第１支持部７２ａ（第２支持部７２ｂ）に対する前後方向の位置を変更することができる。すなわち、苗支持部７２は、第３支持部７２ｃの位置を変更可能とし、第１支持部７２ａと第３支持部７２ｃとの距離を変更することができる。
【００４６】
苗移植機１は、第３支持部７２ｃの位置を変更可能とし、マット苗の厚さ、例えば、苗の床土の厚さに応じて、第１支持部７２ａと第３支持部７２ｃとの距離を変更することができる。そのため、マット苗の厚さに応じてマット苗の反り上がりを抑制することができ、植え付け性能を向上させることができる。
【００４７】
なお、調整部７２ｅは、図６に示すように、第１平面部７２ｆのみで構成されてもよい。図６は、第２実施形態に係る苗支持部７２の変形例を示す図である。
【００４８】
調整部７２ｅでは、第１平面部７２ｆに取付孔（不図示）を形成し、第２支持部７２ｂに対する第１平面部７２ｆの取り付け位置を変更することができる。すなわち、苗支持部７２は、第３支持部７２ｃの位置を変更可能とし、第１支持部７２ａと第３支持部７２ｃとの距離を変更することができる。これによっても、第２実施形態と同様の効果を得ることができる。
【００４９】
また、第３支持部７２ｃは、板状の部材ではなく、例えば、針金などの棒状（線状）の部材によって形成されてもよい。
【００５０】
＜第３実施形態＞
次に、第３実施形態に係る苗移植機１について説明する。ここでは、第１実施形態に係る苗移植機１と異なる箇所について説明し、第１実施形態に係る苗移植機１と同じ構成の説明は省略する。
【００５１】
第３実施形態に係る苗移植機１の第３支持部７２ｃは、図７に示すように、苗押さえ部７１に取り付けられる。図７は、第３実施形態に係る苗載置部５１の一部を斜め後方から見た概略構成図である。第３支持部７２ｃは、回動部７２ｋを介して苗押さえ部７１の連結棒７１ｂに回動可能に取り付けられる。回動部７２ｋは、第３支持部７２ｃの上端に形成され、連結棒７１ｂが挿入される挿入孔７２ｍが形成される。
【００５２】
第３支持部７２ｃは、苗押さえ部７１とともに、左右方向に往復動する。第３支持部７２ｃは、苗を圃場に植え付ける際に、苗植付装置５２の苗植付具５４（図１参照）が接触すると、連結棒７１ｂを中心として回動する。
【００５３】
苗移植機１は、回動部７２ｋを介して第３支持部７２ｃを苗押さえ部７１に回動可能に取り付けることで、苗植付具５４が第３支持部７２ｃに接触した場合に、第３支持部７２ｃを回動させることができる。これにより、苗移植機１は、マット苗の下方側が反り上がることを抑制しつつ、苗植付具５４が第３支持部７２ｃに接触した場合でも、第３支持部７２ｃや苗植付装置５２の劣化を抑制することができる。
【００５４】
なお、第３支持部７２ｃは、図８に示すように、後端側を湾曲状に形成してもよい。図８は、第３実施形態に係る第３支持部７２ｃの変形例を示す図である。具体的には、第３支持部７２ｃは、下方側となるにつれて、前方に湾曲するように形成される。これにより、苗植付具５４が第３支持部７２ｃに接触した場合に、第３支持部７２ｃや苗植付装置５２が劣化することをさらに抑制することができる。
【００５５】
また、第３支持部７２ｃは、左右方向における長さを苗植付具５４の先端の長さよりも長くし、後端の面を後方へ突出するように湾曲させてもよい。これにより、苗植付具５４が第３支持部７２ｃに接触した場合に、第３支持部７２ｃが回動し易くなり、第３支持部７２ｃや苗植付装置５２が劣化することをさらに抑制することができる。
【００５６】
また、苗支持部７２は、図９Ａに示すように、第２支持部７２ｂにピン７２ｎを設けてもよい。図９Ａは、第３実施形態に係る苗支持部７２の変形例を示す図である。
【００５７】
ピン７２ｎは、第２支持部７２ｂに形成された苗取出口７３の周囲に設けられ、上方側、すなわち苗押さえ部７１（図３参照）側に向けて突出するように形成される。ピン７２ｎは、突出部を構成する。
【００５８】
第３支持部７２ｃは、苗押さえ部７１とともに左右方向に往復動し、苗取出口７３の近傍になると、図９Ｂに示すように、ピン７２ｎに当接する。図９Ｂは、第３支持部７２ｃがピン７２ｎに当接した状態を示す図である。これにより、第３支持部７２ｃは、苗植付具５４（図１参照）に接触する前に、ピン７２ｎに当接し、苗押さえ部７１の連結棒７１ｂを中心に回動する。図９Ｂでは、第３支持部７２ｃがピン７２ｎに当接した後に、第３支持部７２ｃが回動した状態を破線で示す。そのため、第３支持部７２ｃが苗植付具５４に接触することを抑制することができ、第３支持部７２ｃや苗植付装置５２の劣化を抑制することができる。
【００５９】
＜第４実施形態＞
次に、第４実施形態に係る苗移植機１について説明する。ここでは、第１実施形態に係る苗移植機１と異なる箇所について説明し、第１実施形態に係る苗移植機１と同じ構成の説明は省略する。
【００６０】
第４実施形態に係る苗移植機１の第３支持部７２ｃは、図１０に示すように、苗押さえ部７１に取り付けられる。図１０は、第４実施形態に係る苗載置部５１の一部を左側方から見た概略図である。
【００６１】
第３支持部７２ｃは、摺動部７２ｐを介して苗押さえ部７１の苗押さえ棒７１ａに摺動可能に取り付けられる。摺動部７２ｐは、第３支持部７２ｃの前端に形成され、苗押さえ棒７１ａが挿入される挿入孔７２ｑが形成される。
【００６２】
第３支持部７２ｃは、苗を圃場に植え付ける際に、苗植付装置５２の苗植付具５４が接触すると、苗押さえ棒７１ａに沿って斜め上方に摺動する。なお、苗植付具５４が接触した後は、第３支持部７２ｃは、自重により苗押さえ棒７１ａに沿って斜め下方に摺動する。
【００６３】
苗移植機１は、摺動部７２ｐを介して第３支持部７２ｃを苗押さえ部７１に摺動可能に取り付けることで、苗植付具５４が第３支持部７２ｃに接触した場合に、第３支持部７２ｃを斜め上方に摺動させることができる。これにより、苗移植機１は、マット苗の下方側が反り上がることを抑制しつつ、苗植付具５４が第３支持部７２ｃに接触した場合でも、第３支持部７２ｃや苗植付装置５２の劣化を抑制することができる。
【００６４】
なお、第３支持部７２ｃは、第３実施形態の変形例と同様に、湾曲させてもよい。
【００６５】
＜その他＞
苗移植機１は、上記した実施形態に加えて、以下の構成を有してもよい。
【００６６】
苗移植機１は、苗支持部７２の左右方向の端部７２ｒを本体部７２ｓに脱着可能としてもよい。苗支持部７２は、図１１に示すように、端部７２ｒを取り付けたことを検知するスイッチ７５を備える。図１１は、右方向における苗支持部７２の端部７２ｒの脱着状態を示す概略図である。例えば、スイッチ７５は、端部７２ｒが取り付けられると、端部７２ｒによって押され、ＯＮになる。これにより、例えば、モニタのランプ（不図示）が点灯し、端部７２ｒが取り付けられた状態であることを作業者に知らせることができる。そのため、端部７２ｒを外した状態で植え付け作業が行われることを抑制することができる。
【００６７】
なお、端部７２ｒは、左右方向にスライドさせることで本体部７２ｓとの係合を解除し、本体部７２ｓに対して折りたたみ可能としてもよい。
【００６８】
苗移植機１は、エアクリーナ８０をエンジンカバー３０（図１参照）の内部に設け、エアクリーナ８０をエンジン２０に対し、左右方向の一方側に設けてもよい。例えば、図１２に示すように、エアクリーナ８０は、エンジン２０の左側に設けられる。そして、苗移植機１は、エアクリーナ８０を設けた側とは逆側、例えば、エンジン２０の右側に排気ファン８１を設ける。図１２は、エンジンカバー３０内におけるエアクリーナ８０などの配置を示す概略図である。なお、図１２では、空気の流れを矢印で示す。
【００６９】
排気ファン８１によってエンジンカバー３０内の空気を排出することで、エアクリーナ８０側には外気が供給される。これにより、エアクリーナ８０によって温度が低い空気が吸引され、エンジン２０の吸気温度を低くすることができる。また、エンジンカバー３０内に温度が高い空気が滞留することを抑制することができ、エンジン２０の冷却を促進することができる。
【００７０】
なお、苗移植機１は、排気ファン８１をエンジンカバー３０の前後方向の一方側に設け、排気ファン８１を設けた側とは逆側に吸気ファン（不図示）を設けてもよい。これにより、エンジンカバー３０内に温度が高い空気が滞留することをさらに抑制することができ、エンジン２０の冷却を促進することができる。
【００７１】
また、苗移植機１は、エアクリーナ８０を設けた側にダクト（不図示）を設けてもよい。ダクトを介して外気が供給されることで、エンジン２０の冷却を促進することができる。
【００７２】
苗移植機１に搭載されるバッテリ９０の端子９０ａは、図１３Ａに示すように、バッテリ９０の本体９０ｂ側となるにつれて太くなるテーパ形状であってもよい。この場合、バッテリ９０に接続されるケーブル９２の端子９１は、バッテリ９０の端子９０ａに電気的に接続される接続部９１ａと、接続部９１ａの外周に設けたバネ９１ｂと、接続部９１ａの外壁を摺動するホルダー９１ｃとを備える。図１３Ａは、バッテリ９０の端子９０ａおよびケーブル９２の端子９１を示す概略図である。
【００７３】
接続部９１ａは、バッテリ９０の本体９０ｂ側となるにつれて太くなるテーパ形状であり、端子９１の差し込み方向に沿って複数のスリット（不図示）が形成される。
【００７４】
ホルダー９１ｃは、バネ９１ｂによってバッテリ９０側（先端側）に付勢されることで、接続部９１ａを内側に向けて締め付ける。
【００７５】
このような端子９１は、バッテリ９０の端子９０ａに接続される場合には、図１３Ａにおいて矢印で示すように、ケーブル９２側に持ち上げられる。これにより、接続部９１ａの締め付けが解除され、接続部９１ａをバッテリ９０の端子９０ａに接続することが可能となる。
【００７６】
そして、接続部９１ａをバッテリ９０の端子９０ａに接続した後に、図１３Ｂにおいて矢印で示すように、ホルダー９１ｃをバネ９１ｂの付勢力によりバッテリ９０側に移動させることで、接続部９１ａが内側（バッテリ９０の端子９０ａ側）に向けて締め付けられる。図１３Ｂは、バッテリ９０の端子９０ａにケーブル９２の端子９１を接続した状態を示す図である。
【００７７】
このような端子構造を有することで、バッテリ９０の端子９０ａに対するケーブル９２の端子９１の脱着を容易に行うことができ、脱着時の安全性を向上させることができる。
【００７８】
苗移植機１の施肥装置５における施肥クラッチ１００は、図１４に示すように、施肥クラッチ１００の入り切りを切り替えるアーム１０１の回動（操作）がケーブル１０２を介して回動プレート１０３に伝達され、回動プレート１０３が回動することで、入り切りされる。図１４は、施肥クラッチ１００およびアーム１０１の構成を示す断面図である。
【００７９】
アーム１０１は、施肥クラッチ１００を切り状態にする場合に、ストッパプレート１０４に当接し、回動が規制される。
【００８０】
回動プレート１０３は、図１５に示すように、ケース１０５の外周に沿って形成される折り返し部１０３ａを備える。図１５は、回動プレート１０３とケース１０５の一部とを示す概略斜視図である。回動プレート１０３は、施肥クラッチ１００（図１４参照）を入り状態にする場合に、折り返し部１０３ａがケース１０５に設けたストッパ部１０５ａに当接し、回動が規制される。なお、回動プレート１０３は、施肥クラッチ１００が切り状態の場合には、ストッパ部１０５ａには当接しない。
【００８１】
このように、アーム１０１、回動プレート１０３の回動を規制することで、アーム１０１または回動プレート１０３を正常な範囲で動作させることができる。
【００８２】
また、アーム１０１に設けたアーム側バネ１０６（図１４参照）のバネ荷重が、ケース１０５内に設けたケース側バネ１０７（図１４参照）のバネ荷重よりも大きくなるように、各バネ１０６、１０７を調整する。これにより、ケーブル１０２に掛かる負荷を小さくし、耐久性を向上させることができる。また、施肥クラッチ１００の入り切りをスムーズに行うことができる。
【００８３】
施肥伝導機構は、エンジン２０（図１参照）によって発生した回転を、図１６に示すように、前側シャフト１１０を用いて右側の肥料タンク６０（図１参照）に設けられた繰出部６１（図１参照）の回転体６１ａに伝達する。これにより、右側の肥料タンク６０から肥料が繰り出される。図１６は、施肥伝導機構の一部を示す図である。
【００８４】
そして、施肥伝達機構は、右側から左側に延設される後側シャフト１１１を用いて左側の肥料タンク６０に設けられた繰出部６１の回転体６１ａに回転を伝達する。これにより、左側の肥料タンク６０から肥料が繰り出される。
【００８５】
前側シャフト１１０は、高負荷に対する耐久性が高いベアリング１１２、例えば、ゴム・ボールベアリングが用いられ、回転自在に支持される。
【００８６】
後側シャフト１１１は、前側シャフト１１０よりも負荷が小さいため、例えば、オイレスブッシュ１１３が用いられ、回転自在に支持される。また、後側シャフト１１１は、左右方向に離れて配置された肥料タンク６０間で回転を伝達するため、前側シャフト１１０よりも長い。そのため、後側シャフト１１１は、ねじれによる左右差を防ぐために、前側シャフト１１０よりも径が大きい。
【００８７】
このように、施肥伝導機構では、大きい耐久性が求められる箇所にのみ強度が大きい部材が用いられる。そのため、耐久性を向上しつつ、コストを低減することができる。
【００８８】
施肥装置５は、図１７〜図１９に示すように、施肥装置５の操作スイッチ１２２ａ、１２２ｂや、ランプ１２３ａ、１２３ｂなどが取り付けられステー１２０の裏面である左側側面に、例えば、鉄板のカバー１２１を設ける。図１７は、施肥装置５の一部を左側方から見た図である。図１８は、ステー１２０などを左側方から見た図である。図１９は、ステー１２０などを上方から見た図である。
【００８９】
施肥装置５は、例えば、操作スイッチ１２２ａなどをステー１２０に組み付けた後に、操作スイッチ１２２ａなどのハーネス１２４やカプラ類１２５をカバー１２１で覆う。そして、カバー１２１をブロア５８に取り付ける。これにより、ハーネス１２４が引き出される箇所以外をステー１２０およびカバー１２１で覆うことができる。そのため、ハーネス１２４をまとめることができる。また、例えば、カプラ１２５をカバー１２１で覆うことで、カプラ１２５に水がかかることを防止し、防水機能を有するカプラを用いる必要が無く、コストを低減することができる。
【００９０】
また、施肥装置５は、図１７に示すように、繰出部６１の回転体６１ａの回転数を計測するカウンタ１３０を施肥装置５の後方側に設ける。カウンタ１３０は前後方向に沿って設けられ、繰出部６１の回転体６１ａを回転させる駆動軸の後方側に取り付けられる。これにより、前後方向に沿って複数のホッパー６０ａが配置された場合であっても、カウンタ１３０を取り付けることができる。なお、カウンタ１３０は、左右に配置された各肥料タンク６０に設けられてもよい。
【００９１】
また、カウンタ１３０は、図２０に示すように、カウンタステー１３１を介して、手すり１３２（図１７参照）に取り付けられてもよい。図２０は、変形例に係るカウンタ１３０の取り付け構造を説明する図である。これにより、カウンタ１３０を手すり１３２によって支持することができ、強度を向上させることができる。
【００９２】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００９３】
１      苗移植機
２      走行車体
４      苗植付部
５１    苗載置部
５２    苗植付装置
５４    苗植付具
７０    苗タンク
７１    苗押さえ部
７１ａ  苗押さえ棒
７１ｂ  連結棒
７２    苗支持部
７２ｂ  第２支持部（支持部）
７２ｃ  第３支持部（規制部）
７２ｎ  ピン（突出部）
７３    苗取出口
【図１】
2019115265.tif 000003
【図２】
2019115265.tif 000004
【図３】
2019115265.tif 000005
【図４】
2019115265.tif 000006
【図５】
2019115265.tif 000007
【図６】
2019115265.tif 000008
【図７】
2019115265.tif 000009
【図８】
2019115265.tif 000010
【図９Ａ】
2019115265.tif 000011
【図９Ｂ】
2019115265.tif 000012
【図１０】
2019115265.tif 000013
【図１１】
2019115265.tif 000014
【図１２】
2019115265.tif 000015
【図１３Ａ】
2019115265.tif 000016
【図１３Ｂ】
2019115265.tif 000017
【図１４】
2019115265.tif 000018
【図１５】
2019115265.tif 000019
【図１６】
2019115265.tif 000020
【図１７】
2019115265.tif 000021
【図１８】
2019115265.tif 000022
【図１９】
2019115265.tif 000023
【図２０】
2019115265.tif 000024